(57)【要約】【課題】携帯端末が測定結果を適切なタイミングで基地局に送信する。【解決手段】携帯通信システムＳは、第１基地局１と、第１基地局１と異なる第２基地局２と、第１基地局１及び第２基地局２と通信可能な携帯端末３と、を備える。第１基地局１は、携帯端末３に対して、第２基地局２から受信する電波の電力強度を測定する指示、及び当該指示に基づいて電力強度を測定した結果を第１基地局１に送信させる条件を含む指示情報を送信する基地局送信部を有し、携帯端末３は、指示情報に基づいて、第２基地局２と通信中の所定チャネルにおいて受信した電波の電力強度である第１電力強度、及び他のチャネルにおいて受信した電波の電力強度である第２電力強度を測定する測定部と、当該測定部が測定した第１電力強度及び第２電力強度が、指示情報が含む条件を満たす場合に、測定結果を第１基地局１に送信する端末送信部とを有する。【選択図】図１
2015216416.tif 000002
【特許請求の範囲】
【請求項１】
第１基地局と、前記第１基地局と異なる第２基地局と、前記第１基地局及び前記第２基地局と通信可能な携帯端末と、を備える携帯通信システムであって、
前記第１基地局は、
前記携帯端末に対して、前記第２基地局から受信する電波の電力強度を測定する指示、及び前記指示に基づいて前記電力強度を測定した結果を前記第１基地局に送信させる条件を含む指示情報を送信する基地局送信部を有し、
前記携帯端末は、
前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定する測定部と、
前記測定部が測定した前記第１電力強度及び前記第２電力強度が、前記指示情報が含む前記条件を満たす場合に、測定結果を前記第１基地局に送信する端末送信部と、
を有する、
携帯通信システム。
【請求項２】
前記端末送信部は、前記測定結果において、前記第１電力強度が前記第２電力強度よりも小さいことを示している場合に、前記測定結果を前記第１基地局に送信する、
請求項１に記載の携帯通信システム。
【請求項３】
前記端末送信部は、前記測定結果において、前記第１電力強度が通信品質を維持する基準となる第１の閾値よりも低く、前記第２電力強度が前記第１の閾値よりも大きい第２の閾値よりも高い場合に、前記測定結果を前記第１基地局に送信する、
請求項１又は２に記載の携帯通信システム。
【請求項４】
前記携帯端末は、
前記第２基地局と通信する通信部を有し、
前記測定部は、前記指示情報に基づいて、前記通信部がダウンリンク及びアップリンクで通信に用いている第１チャネルにおいて前記第２基地局から受信した電波の電力強度を前記第１電力強度として測定し、前記第１チャネルとは異なるチャネルにおいて前記第２基地局から受信した電波の電力強度を前記第２電力強度として測定する、
請求項１から３のいずれか１項に記載の携帯通信システム。
【請求項５】
前記測定部は、前記指示情報に基づいて、任意のチャネルにおいて前記第２基地局とは異なる他の基地局から受信した電波の電力強度を前記第２電力強度として測定する、
請求項４に記載の携帯通信システム。
【請求項６】
前記携帯端末は、
前記第２基地局と通信する通信部を有し、
前記測定部は、前記指示情報に基づいて、前記通信部がダウンリンク及びアップリンクで通信に用いている第１チャネルとは異なる第２チャネルにおいて前記第２基地局から受信した電波の電力強度を前記第１電力強度として測定し、前記第２チャネルとは異なるチャネルで受信した電波の電力強度を前記第２電力強度として測定する、
請求項１から３のいずれか１項に記載の携帯通信システム。
【請求項７】
前記第２基地局が通信可能なエリアが、前記第１基地局が通信可能なエリアに含まれている、
請求項１から６のいずれか１項に記載の携帯通信システム。
【請求項８】
携帯端末と通信可能な基地局であって、
前記携帯端末に対して、当該携帯端末が通信可能であり前記基地局と異なる第２基地局から受信する電波の電力強度を測定する指示、及び前記指示に基づいて前記電力強度を測定した測定結果を前記基地局に送信させる条件を含む指示情報を送信する基地局送信部を備える、
基地局。
【請求項９】
第１基地局及び前記第１基地局と異なる第２基地局と通信可能な携帯端末であって、
前記第１基地局から、前記第２基地局から受信する電波の電力強度を測定する指示、及び前記指示に基づいて前記電力強度を測定した結果を前記第１基地局に送信させる条件を含む指示情報を受信する端末受信部と、
受信した前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定する測定部と、
前記測定部が測定した前記第１電力強度及び前記第２電力強度が、前記指示情報が含む前記条件を満たす場合に、測定結果を前記第１基地局に送信する端末送信部と、
を備える、
携帯端末。
【請求項１０】
前記端末送信部は、前記測定結果において、前記第１電力強度が通信品質を維持する基準となる第１の閾値よりも低く、前記第２電力強度が前記第１の閾値よりも大きい第２の閾値よりも高い場合に、前記測定結果を前記第１基地局に送信する、
請求項９に記載の携帯端末。
【請求項１１】
前記第２基地局と通信する通信部を有し、
前記測定部は、前記指示情報に基づいて、前記通信部がダウンリンク及びアップリンクで通信に用いている第１チャネルにおいて前記第２基地局から受信した電波の電力強度を前記第１電力強度として測定し、前記第１チャネルとは異なるチャネルにおいて前記第２基地局から受信した電波の電力強度を前記第２電力強度として測定する、
請求項９又は１０に記載の携帯端末。
【請求項１２】
第１基地局が、前記第１基地局及び前記第１基地局と異なる第２基地局と通信可能な携帯端末に対して、前記第２基地局から受信する電波の電力強度を測定する指示、及び前記指示に基づいて前記電力強度を測定した結果を前記第１基地局に送信させる条件を含む指示情報を送信するステップと、
前記携帯端末が、前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定するステップと、
前記携帯端末が、測定した前記第１電力強度及び前記第２電力強度が、前記指示情報が含む条件を満たす場合に、測定結果を前記第１基地局に送信するステップと、
を有する測定結果送信方法。
【発明の詳細な説明】
【技術分野】
【０００１】
本発明は、携帯通信システム、基地局、携帯端末及び測定結果送信方法に関する。
【背景技術】
【０００２】
近年、携帯端末では、複数の周波数帯域を用いて通信を行うＣＡ（Carrier Aggregation）技術を利用した基地局との通信が行われている（例えば、非特許文献１参照）。
また、携帯端末は、基地局から指示された周波数帯域の電波の電力強度を測定しており、測定結果において電力強度が所定条件を満たすと、基地局に対して測定結果（MR：Measurement Report）を送信する（例えば、非特許文献２参照）。基地局は、携帯端末から測定結果を受信すると、当該測定結果に基づいて、当該携帯端末におけるハンドオーバの実行や電力強度の測定指示に関する判定を行う。
【先行技術文献】
【非特許文献】
【０００３】
【非特許文献１】3GPP, TS 36.300, v11.3.0, “Overall description,” 2012-09
【非特許文献２】3GPP, TS 36.331, v12.1.0, “Radio Resource Control(RRC) Protocol specification,” 2014-03
【発明の概要】
【発明が解決しようとする課題】
【０００４】
ところで、３ＧＰＰ（3rd Generation Partnership Project）等の無線インターフェースの標準化団体では、一の携帯端末が、主基地局（MeNB: Master eNB）と従基地局（SeNB: Secondary eNB）との２つの基地局と同時に接続して通信するデュアルコネクティビティ（Dual Connectivity）技術が検討されている。しかしながら、デュアルコネクティビティ技術を用いた通信において、携帯端末が基地局に対して測定結果を送信するタイミングに関する条件が規定されておらず、帯端末が従基地局の電力強度に基づいて、適切なタイミングで測定結果を基地局に送信することができないという問題があった。
【０００５】
例えば、携帯端末が、従基地局における周波数帯を対象とした測定結果を基地局に送信するための条件が存在しないことから、携帯端末が現在接続している従基地局の周波数チャネル（接続セル）に比べて受信電波の電力強度が強い他の周波数チャネルとの通信が可能であっても、携帯端末は、基地局に対して測定結果を送信することができなかった。このため、主基地局は、適切なタイミングで他の周波数チャネルにハンドオーバさせる指示を携帯端末に送信することができなかった。
【０００６】
そこで、本発明はこれらの点に鑑みてなされたものであり、携帯端末が測定結果を適切なタイミングで基地局に送信することができる携帯通信システム、基地局、携帯端末及び測定結果送信方法を提供することを目的とする。
【課題を解決するための手段】
【０００７】
本発明の第１の態様に係る携帯通信システムは、第１基地局と、前記第１基地局と異なる第２基地局と、前記第１基地局及び前記第２基地局と通信可能な携帯端末と、を備える携帯通信システムであって、前記第１基地局は、前記携帯端末に対して、前記第２基地局から受信する電波の電力強度を測定する指示、及び前記指示に基づいて前記電力強度を測定した結果を前記第１基地局に送信させる条件を含む指示情報を送信する基地局送信部を有し、前記携帯端末は、前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定する測定部と、前記測定部が測定した前記第１電力強度及び前記第２電力強度が、前記指示情報が含む前記条件を満たす場合に、測定結果を前記第１基地局に送信する端末送信部と、を有する。
【０００８】
前記端末送信部は、前記測定結果において、前記第１電力強度が前記第２電力強度よりも小さいことを示している場合に、前記測定結果を前記第１基地局に送信してもよい。
前記端末送信部は、前記測定結果において、前記第１電力強度が通信品質を維持する基準となる第１の閾値よりも低く、前記第２電力強度が前記第１の閾値よりも大きい第２の閾値よりも高い場合に、前記測定結果を前記第１基地局に送信してもよい。
【０００９】
前記携帯端末は、前記第２基地局と通信する通信部を有し、前記測定部は、前記指示情報に基づいて、前記通信部がダウンリンク及びアップリンクで通信に用いている第１チャネルにおいて前記第２基地局から受信した電波の電力強度を前記第１電力強度として測定し、前記第１チャネルとは異なるチャネルにおいて前記第２基地局から受信した電波の電力強度を前記第２電力強度として測定してもよい。
前記測定部は、前記指示情報に基づいて、任意のチャネルにおいて前記第２基地局とは異なる他の基地局から受信した電波の電力強度を前記第２電力強度として測定してもよい。
【００１０】
前記携帯端末は、前記第２基地局と通信する通信部を有し、前記測定部は、前記指示情報に基づいて、前記通信部がダウンリンク及びアップリンクで通信に用いている第１チャネルとは異なる第２チャネルにおいて前記第２基地局から受信した電波の電力強度を前記第１電力強度として測定し、前記第２チャネルとは異なるチャネルで受信した電波の電力強度を前記第２電力強度として測定してもよい。
前記第２基地局が通信可能なエリアは、前記第１基地局が通信可能なエリアに含まれていてもよい。
【００１１】
本発明の第２の態様に係る基地局は、携帯端末と通信可能な基地局であって、前記携帯端末に対して、当該携帯端末が通信可能であり前記基地局と異なる第２基地局から受信する電波の電力強度を測定する指示、及び前記指示に基づいて前記電力強度を測定した測定結果を前記基地局に送信させる条件を含む指示情報を送信する基地局送信部を備える。
【００１２】
本発明の第３の態様に係る携帯端末は、第１基地局及び前記第１基地局と異なる第２基地局と通信可能な携帯端末であって、前記第１基地局から、前記第２基地局から受信する電波の電力強度を測定する指示、及び前記指示に基づいて前記電力強度を測定した結果を前記第１基地局に送信させる条件を含む指示情報を受信する端末受信部と、受信した前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定する測定部と、前記測定部が測定した前記第１電力強度及び前記第２電力強度が、前記指示情報が含む前記条件を満たす場合に、測定結果を前記第１基地局に送信する端末送信部と、を備える。
【００１３】
前記端末送信部は、前記測定結果において、前記第１電力強度が通信品質を維持する基準となる第１の閾値よりも低く、前記第２電力強度が前記第１の閾値よりも大きい第２の閾値よりも高い場合に、前記測定結果を前記第１基地局に送信してもよい。
【００１４】
前記携帯端末は、前記第２基地局と通信する通信部を有し、前記測定部は、前記指示情報に基づいて、前記通信部がダウンリンク及びアップリンクで通信に用いている第１チャネルにおいて前記第２基地局から受信した電波の電力強度を前記第１電力強度として測定し、前記第１チャネルとは異なるチャネルにおいて前記第２基地局から受信した電波の電力強度を前記第２電力強度として測定してもよい。
【００１５】
本発明の第４の態様に係る測定結果送信方法は、第１基地局が、前記第１基地局及び前記第１基地局と異なる第２基地局と通信可能な携帯端末に対して、前記第２基地局から受信する電波の電力強度を測定する指示、及び前記指示に基づいて前記電力強度を測定した結果を前記第１基地局に送信させる条件を含む指示情報を送信するステップと、前記携帯端末が、前記指示情報に基づいて、前記第２基地局と通信中の所定チャネルにおいて受信した電波の電力強度である第１電力強度、及び前記所定チャネルとは異なる他のチャネルにおいて受信した電波の電力強度である第２電力強度を測定するステップと、前記携帯端末が、測定した前記第１電力強度及び前記第２電力強度が、前記指示情報が含む条件を満たす場合に、測定結果を前記第１基地局に送信するステップと、を有する。
【発明の効果】
【００１６】
本発明によれば、携帯端末が測定結果を適切なタイミングで基地局に送信することができるという効果を奏する。
【図面の簡単な説明】
【００１７】
【図１】第１の実施形態の携帯通信システムの概要を示す図である。
【図２】第１の実施形態に係る第１基地局及び携帯端末の機能構成図である。
【図３】第１の実施形態に係る携帯通信システムにおける通信シーケンスの一例を示す図である。
【図４】比較元のセルと、比較対象のセルと、切替条件を満たした際のイベントとの関係を示す図である。
【図５】第２の実施形態の携帯通信システムの概要を示す図である。
【図６】第２の実施形態に係る携帯通信システムにおける通信シーケンスの一例を示す図である。
【図７】比較元のセルと、比較対象のセルと、切替条件を満たした際のイベントとの関係を示す図である。
【図８】比較元のセルと、比較対象のセルと、切替条件を満たした際のイベントとの関係を示す図である。
【発明を実施するための形態】
【００１８】
＜第１の実施形態＞
図１は、第１の実施形態の携帯通信システムＳの概要を示す図である。
携帯通信システムＳは、第１基地局１と、第１基地局１と通信可能なエリアが異なる第２基地局２と、第１基地局１及び第２基地局２と通信可能な携帯端末３とを備える。携帯通信システムＳは、デュアルコネクティビティ技術により、第１基地局１及び第２基地局２の２つの基地局と同時に接続して通信可能な携帯端末３に、第２基地局２から受信した電波の電力強度を測定させ、当該電力強度が所定の条件を満たす場合に、測定結果を第１基地局１に送信させるシステムである。
【００１９】
第１基地局１及び第２基地局２は、基地局同士で直接通信するためのＸ２回線により接続されている。本実施形態では、第１基地局１を主基地局（MeNB: Master eNB）とし、第２基地局２を主基地局に対する従基地局（SeNB: Secondary eNB）とする。第１基地局１は、例えば、通信可能なエリアが広く、電波出力が大きいマクロ基地局であり、第２基地局２は、例えば、通信可能なエリアが、第１基地局１が通信可能なエリアに含まれており、通信可能範囲が狭く、電波出力が小さいピコ基地局であるものとする。第２基地局２は、例えば、通信量が多いエリアに設置される。
【００２０】
第１基地局１及び第２基地局２のそれぞれは、ＣＡ技術により周波数帯域がそれぞれ異なる複数のチャネルを束ねて携帯端末３と高速通信を行うことができる。ここで、複数のチャネルそれぞれを、コンポーネントキャリア（CC: Component carrier）という。第１基地局１が通信に用いる複数のコンポーネントキャリアに対応するセル群をマスターセルグループ（MCG:Master Cell Group）といい、第２基地局２が通信に用いる複数のコンポーネントキャリアに対応するセル群をセカンダリセルグループ（SCG:Secondary Cell Group）という。第２基地局２は、セルごとに異なる場所に存在するアンテナを用いて電波を送信することにより、複数のセルのそれぞれが異なるカバーエリアを有するようにすることもできるが、本実施形態では、セカンダリセルグループに対応する複数のセルは、ほぼ同一のエリアに重畳して配置されているものとする。
【００２１】
また、マスターセルグループにおいて、携帯端末３からアップリンク通信及びダウンリンク通信が可能なセル（主セル）を、ＰＣｅｌｌ（Primary Cell）といい、ＰＣｅｌｌ以外のセル（従セル）をＳＣｅｌｌ（Secondary Cell）という。また、セカンダリセルグループにおける主セルをｐＳＣｅｌｌ、従セルをｓＳＣｅｌｌという。
【００２２】
携帯端末３は、上述したように、デュアルコネクティビティ技術により、２つの基地局と同時に接続して通信可能な端末である。図１に示す例では、携帯端末３は、第１基地局１と１つのコンポーネントキャリア（実線の矢印ａ）で通信を行い、第２基地局２と２つのコンポーネントキャリア（実線の矢印ｂ１、ｂ２）で通信を行う。携帯端末３は、第１基地局１から受信した指示情報に基づいて、指示されたチャネルの電波の電力強度を測定する。そして、携帯端末３は、測定した電力強度が所定の条件を満たす場合に、測定結果を第１基地局１に送信する。
【００２３】
第１基地局１は、受信した測定結果に基づいて、携帯端末３に、第２基地局２との通信に使用するコンポーネントキャリアを他のコンポーネントキャリアに切り替えさせるか否かを判定する。第１基地局１は、コンポーネントキャリアを切り替えさせると判定した場合に、切替指示情報を携帯端末３に送信する。このようにすることで、携帯通信システムＳは、例えば、携帯端末３が第２基地局２との通信において使用している複数のコンポーネントキャリアの負荷が高い場合に、適切なタイミングで負荷の低いコンポーネントキャリアに切り替えることができ、携帯端末３における通信を良好なものとすることができる。
【００２４】
続いて、携帯通信システムＳを構成する第１基地局１及び携帯端末３の機能構成について説明する。図２は、第１の実施形態に係る第１基地局１及び携帯端末３の機能構成図である。
【００２５】
［第１基地局１の構成例］
まず、第１基地局１の機能構成について説明する。第１基地局１は、基地局送信部１１と、基地局受信部１２と、記憶部１３とを備える。
【００２６】
基地局送信部１１及び基地局受信部１２は、ＣＰＵ及び通信インターフェース等により構成される。基地局送信部１１は、携帯端末３に各種情報のＲＦ（Radio Frequency）信号を生成し、アンテナ（不図示）を介して当該ＲＦ信号を、携帯端末３に送信する。基地局受信部１２は、アンテナを介して携帯端末３から受信したＲＦ信号を復調して、復調された信号を基地局送信部１１に出力する。
記憶部１３は、例えば、ＲＯＭ及びＲＡＭ等により構成される。記憶部１３は、第１基地局１を機能させるための各種プログラムや各種データを記憶する。
【００２７】
［携帯端末３の構成例］
続いて、携帯端末３の機能構成について説明する。携帯端末３は、通信インターフェースである通信部としての無線部３１と、ＣＰＵ等により構成される制御部に対応する端末受信部３２、測定部３３、端末送信部３４、及び切替部３５とを備える。
【００２８】
無線部３１は、制御部から出力された信号を変調してＲＦ信号を生成し、アンテナ（不図示）を介して当該ＲＦ信号を、第１基地局１及び第２基地局２等に無線送信する。また、無線部３１は、アンテナを介して第１基地局１及び第２基地局２等から受信したＲＦ信号を復調して、復調された信号を制御部に出力する。
【００２９】
端末受信部３２は、無線部３１を介して第１基地局１から測定部３３による測定を指示する指示情報を受信する。また、端末受信部３２は、無線部３１を介して第１基地局１から、第２基地局２に対応するコンポーネントキャリアを切り替えるための切替指示情報を受信する。
【００３０】
測定部３３は、端末受信部３２が指示情報を受信したことに応じて第１基地局１及び第２基地局２が発信した電波の電力強度を測定する。
端末送信部３４は、測定部３３が測定した測定結果が示す電力強度が所定の条件を満たす場合に、無線部３１を介して測定結果を第１基地局１に送信する。
切替部３５は、端末受信部３２が切替指示情報を受信したことに応じて、第２基地局２と通信を行い、コンポーネントキャリアを切り替える切替処理を実行する。
【００３１】
［携帯通信システムＳの通信シーケンス］
続いて、第１基地局１及び携帯端末３がそれぞれ備える機能の詳細について、携帯通信システムＳにおけるシーケンスに沿って説明する。
図３は、第１の実施形態に係る携帯通信システムＳにおける通信シーケンスの一例を示す図である。
【００３２】
まず、第１基地局１の基地局送信部１１は、携帯端末３に対して、第２基地局２から受信する電波の電力強度を測定する指示、及び当該指示に基づいて電力強度を測定した結果を第１基地局１に送信させる条件を含む指示情報を送信する。
【００３３】
続いて、端末受信部３２が第１基地局から指示情報を受信すると、測定部３３は、当該指示情報に基づいて、第２基地局２と通信中のコンポーネントキャリア（所定チャネル）において受信した電波の電力強度である第１電力強度、及び当該コンポーネントキャリアとは異なる、他のコンポーネントキャリア（他のチャネル）において受信した電波の電力強度である第２電力強度を測定する（Ｓ１０）。
【００３４】
具体的には、測定部３３は、指示情報に基づいて、ｐＳｃｅｌｌに対応するコンポーネントキャリア、すなわち、無線部３１がダウンリンク及びアップリンクで通信に用いているコンポーネントキャリアである第１コンポーネントキャリア（第１チャネル）において第２基地局２から受信した電波の電力強度を第１電力強度として測定する。測定部３３は、第１コンポーネントキャリアとは異なるコンポーネントキャリアである第２コンポーネントキャリアにおいて第２基地局２から受信した電波の電力強度を第２電力強度として測定する。
【００３５】
続いて、端末送信部３４は、測定部３３が測定した第１電力強度及び第２電力強度が、指示情報が含む、測定結果を第１基地局１に送信させる条件を満たしているか否かを判定する（Ｓ２０）。
【００３６】
具体的には、端末送信部３４は、測定結果において、第１電力強度が第２電力強度よりも小さいことを示している場合に、当該測定結果を第１基地局１に送信する。より具体的には、第１電力強度の値をＭｓ、第２電力強度の値をＭｎ、第１コンポーネントキャリアに対応するセル（以下、在圏セルともいう。）に特有の測定オフセット値をＯｃｓ、第２コンポーネントキャリアに対応するセル（以下、隣接セルともいう。）に特有の測定オフセット値をＯｃｎ、コンポーネントキャリアの切替イベントに対するヒステリシスパラメータをＨｙｓとした場合、端末送信部３４は、以下に示す式（１）を満たしている場合に、測定結果を第１基地局１に送信する。
Ｍｎ＋Ｏｃｎ−Ｈｙｓ＞Ｍｓ＋Ｏｃｓ＋Ｏｆｆ・・・（１）
【００３７】
また、端末送信部３４は、測定結果において、第１電力強度が通信品質を維持する基準となる第１の閾値よりも低く、第２電力強度が第１の閾値よりも大きい第２の閾値よりも高い場合に、測定結果を第１基地局１に送信する。ここで、第１の閾値は、在圏セルから離脱するイベントに対応するスレッショルドパラメータ（Ｔｈｒｅｓｈ１）であり、第２の閾値は、隣接セルに加入するイベントに対応するスレッショルドパラメータ（Ｔｈｒｅｓｈ２）である。より具体的には、隣接セルの周波数帯域に対する周波数特有の測定オフセット値をＯｆｎとした場合、端末送信部３４は、以下に示す式（２）及び式（３）を満たしている場合に、測定結果を第１基地局１に送信する。
Ｍｓ＋Ｈｙｓ＜Ｔｈｒｅｓｈ１・・・（２）
Ｍｎ＋Ｏｆｎ＋Ｏｃｎ−Ｈｙｓ＞Ｔｈｒｅｓｈ２・・・（３）
【００３８】
続いて、第１基地局１の基地局受信部１２が測定結果を受信すると、基地局送信部１１は、当該測定結果に基づいて第１コンポーネントキャリア、すなわち、ｐＳｃｅｌｌを切り替える切替条件を満たしているか否かを判定する（Ｓ３０）。基地局送信部１１は、切替条件を満たしていると判定すると、携帯端末３に切替指示情報を送信する。
【００３９】
携帯端末３の端末受信部３２が切替指示情報を受信すると、切替部３５は、当該切替指示情報に基づいて第２基地局２との通信に用いている第１コンポーネントキャリアを、切替指示情報において指定されている第２コンポーネントキャリアに切り替える切替処理を実行する（Ｓ４０）。
【００４０】
なお、上述のシーケンスでは、ｐＳｃｅｌｌに対応するコンポーネントキャリアを第２基地局２の他のコンポーネントキャリアに切り替える処理（ｐＳｃｅｌｌ  Ｃｈａｎｇｅ）について説明したが、これに限らない。図４は、比較元のセル（比較元のコンポーネントキャリア）と、比較対象のセル（比較対象のコンポーネントキャリア）と、切替条件を満たした際のイベントとの関係を示す図である。
【００４１】
図４に示すように、比較元のセルをｓＳｃｅｌｌとし、比較対象のセルを第２基地局２の任意のセルとした場合において、第１基地局１は、切替条件を満たしたとき、ｓＳｃｅｌｌを第２基地局２の任意のセルに切り替える処理（ｓＳｃｅｌｌ  Ｃｈａｎｇｅ）を実行するようにしてもよい。具体的には、測定部３３は、指示情報に基づいて、ｓＳｃｅｌｌに対応するコンポーネントキャリアにおいて第２基地局２から受信した電波の電力強度を第１電力強度として測定し、当該コンポーネントキャリアとは異なるコンポーネントキャリアにおいて第２基地局２から受信した電波の電力強度を第２電力強度として測定する。そして、基地局受信部１２が携帯端末３から測定結果を受信したとき、基地局送信部１１は、ｓＳｃｅｌｌに対応するコンポーネントキャリアを第２基地局２の任意のセルに対応するコンポーネントキャリアに切り替える切替指示情報を送信する。このようにすることで、第１基地局１は、適切なタイミングでｓＳｃｅｌｌの切替を携帯端末３に指示することができる。
【００４２】
また、図４に示すように、比較元のセルを第２基地局２の任意のセルとし、比較対象のセルを当該セルと異なる第２基地局２の任意のセルとした場合において、第１基地局１は、切替条件を満たしたとき、比較元のセルを比較対象のセルに切り替える処理（ＳＣＧ  Ｍｏｄｉｆｉｃａｔｉｏｎ）を実行するようにしてもよい。具体的には、測定部３３は、指示情報に基づいて、第２基地局２の任意のセルに対応するコンポーネントキャリアにおいて第２基地局２から受信した電波の電力強度を第１電力強度として測定し、当該コンポーネントキャリアとは異なるコンポーネントキャリアにおいて第２基地局２から受信した電波の電力強度を第２電力強度として測定してもよい。この場合において、基地局受信部１２が測定結果を受信したとき、基地局送信部１１は、第１電力強度に対応するコンポーネントキャリアを第２電力強度に対応する任意のセルに対応するコンポーネントキャリアに切り替える切替指示情報を送信する。このようにすることで、第１基地局１は、適切なタイミングでＳＣＧ  Ｍｏｄｉｆｉｃａｔｉｏｎを携帯端末３に指示し、第２基地局２の複数のコンポーネントキャリアに対応するセル接続を安定化させることができる。
【００４３】
［第１の実施形態における効果］
以上のとおり、携帯通信システムＳでは、携帯端末３は、指示情報に基づいて、第２基地局２と通信中の第１コンポーネントキャリアにおいて受信した電波の電力強度である第１電力強度、及び第２コンポーネントキャリアにおいて受信した電波の電力強度である第２電力強度を測定し、測定した第１電力強度及び第２電力強度が、指示情報が含む条件を満たす場合に、測定結果を第１基地局１に送信する。このようにすることで、携帯端末３は、第２基地局２が発する電波の電力強度の測定結果を、当該測定結果の内容に基づいて適切なタイミングで第１基地局１に送信することができる。これにより、第１基地局１は、適切なタイミングでコンポーネントキャリアの切り替えを携帯端末３に指示し、第２基地局２の複数のコンポーネントキャリアに対応するセル接続の安定化、スループットの向上、及び通信遅延の短縮につなげることができる。
【００４４】
＜第２の実施形態＞
［第２基地局２を切り替える］
続いて、第２の実施形態について説明する。図５は、第２の実施形態の携帯通信システムＳの概要を示す図である。第２の実施形態の携帯通信システムＳは、第１基地局１の通信可能エリア内に位置し、第２基地局２と異なるピコ基地局としての他の基地局４をさらに備える。
【００４５】
第１の実施形態では、第２基地局２の複数のコンポーネントキャリアにおいて、通信に用いているコンポーネントキャリアを切り替えた。これに対し、第２の実施形態では、図５に示すように、携帯端末３が、第２基地局２の通信可能範囲から、他の基地局４の通信可能範囲に移動した場合を想定し、通信に用いているコンポーネントキャリアを、第２基地局２のコンポーネントキャリアから他の基地局４のコンポーネントキャリアに切り替える点で第１の実施形態と異なる。切り替え先の他の基地局４のコンポーネントキャリア（他のチャネル）は、第２基地局２で使用中のコンポーネントキャリアと同じ周波数帯域のコンポーネントキャリア、及び第２基地局２で使用中のコンポーネントキャリアと異なる周波数帯域の第２基地局２で使用中のコンポーネントキャリアの少なくともいずれかである。以下、第２実施形態に係る第１基地局１及び携帯端末３がそれぞれ備える機能の詳細について、携帯通信システムＳにおけるシーケンスに沿って説明する。
【００４６】
［携帯通信システムＳの通信シーケンス］
図６は、第２の実施形態に係る携帯通信システムＳにおける通信シーケンスの一例を示す図である。
【００４７】
まず、第１基地局１の基地局送信部１１は、携帯端末３に対して指示情報を送信する。
続いて、端末受信部３２が第１基地局１から指示情報を受信すると、測定部３３は、各コンポーネントキャリアの電力強度を測定する（Ｓ１０）。具体的には、測定部３３は、指示情報に基づいて、ｐＳｃｅｌｌに対応するコンポーネントキャリア（第１コンポーネントキャリア）において受信した電波の電力強度を第１電力強度として測定する。ここで、測定部３３は、ｐＳｃｅｌｌに対応する電波を受信できなかった場合、第１電力強度を０と測定する。
【００４８】
また、測定部３３は、任意のコンポーネントキャリアにおいて他の基地局４から受信した電波の電力強度を第２電力強度として測定する。ここで、他の基地局４の任意のコンポーネントキャリアには、ｐＳｃｅｌｌに対応するコンポーネントキャリアと同じ周波数帯域に対応するコンポーネントキャリアも含まれるものとする。また、測定部３３は、第２の基地局の任意のコンポーネントキャリアにおいて受信した電波の電波強度を第２電力強度として測定してもよい。
【００４９】
続いて、端末送信部３４は、測定部３３が測定した第１電力強度及び第２電力強度が、指示情報が含む、測定結果を第１基地局１に送信させる条件を満たしているか否かを判定する（Ｓ２０）。ここでは、他の基地局４から受信した電波の電力強度が、当該条件を満たしているものとし、端末送信部３４が、測定部３３の測定結果を第１基地局１に送信するものとする。
【００５０】
続いて、基地局送信部１１は、受信した測定結果において、第１コンポーネントキャリア、すなわち、ｐＳｃｅｌｌを切り替える切替条件を満たしているか否かを判定する（Ｓ３０）。基地局送信部１１は、他の基地局４のコンポーネントキャリアに基づいて、第１コンポーネントキャリアを切り替えると判定した場合、セカンダリセルグループを、第２基地局２から他の基地局４に切り替える処理であるＳＣＧ  Ｃｈａｎｇｅに対応する切替指示情報を携帯端末３に送信する。
【００５１】
携帯端末３の端末受信部３２が切替指示情報を受信すると、切替部３５は、当該切替指示情報に基づいて第２基地局２のコンポーネントキャリアを用いた通信を切断する切断処理を実行する（Ｓ４１）。そして、切替部３５は、切替指示情報において指定されている他の基地局４のコンポーネントキャリアを用いた通信を確立させる接続処理を実行する（Ｓ４２）。
【００５２】
なお、上述のシーケンスでは、ｐＳｃｅｌｌに対応するコンポーネントキャリアの電波強度に基づいて、セカンダリセルグループを切り替える例について説明したが、これに限らない。図７は、比較元のセル（比較元のコンポーネントキャリア）と、比較対象のセル（比較対象のコンポーネントキャリア）と、切替条件を満たした際のイベントとの関係を示す図である。
【００５３】
図７に示すように、比較元のセルをｓＳｃｅｌｌとし、比較対象のセルを他の基地局４の任意のセルとした場合において、第１基地局１は、切替条件を満たしたとき、セカンダリセルグループを第２基地局２から他の基地局４に切り替えるようにしてもよい。また、図７に示すように、比較元のセルを第２基地局２の任意のセルとし、比較対象のセルを当該セルと異なる他の基地局４の任意のセルとした場合において、第１基地局１は、切替条件を満たしたとき、セカンダリセルグループを第２基地局２から他の基地局４に切り替えるようにしてもよい。
【００５４】
［第２の実施形態における効果］
以上のとおり、携帯通信システムＳでは、携帯端末３は、指示情報に基づいて、第２基地局２と通信中の所定チャネルにおいて受信した電波の電力強度である第１電力強度、及び任意のチャネルにおいて第２基地局２とは異なる他の基地局４から受信した電波の電力強度を第２電力強度として測定し、測定した第１電力強度及び第２電力強度が、指示情報が含む条件を満たす場合に、測定結果を第１基地局１に送信する。
【００５５】
このようにすることで、携帯端末３は、第２基地局２の通信可能範囲から、他の基地局４の通信可能範囲に移動した場合においても測定結果を第１基地局１に送信することができる。よって、第１基地局１は、当該測定結果に基づいて、適切なタイミングでセカンダリセルグループを、第２基地局２から他の基地局４に切り替えることができる。
【００５６】
以上、本発明を実施の形態を用いて説明したが、本発明の技術的範囲は上記実施の形態に記載の範囲には限定されない。例えば、第１実施形態及び第２実施形態では、比較元のセルに対する比較対象のセルが、第２基地局２のセル又は他の基地局４のセルであることを特定できることを前提としたが、これに限らない。例えば、図８に示すように、比較対象のセルを任意のセルとし、第１基地局１において、任意のセルが第２基地局２のセル又は他の基地局４のセルのいずれであるかを判定し、セルの切り替えに係るイベントを制御するようにしてもよい。
【００５７】
例えば、第１基地局１は、比較元のセルが、ｐＳｃｅｌｌであり、比較対象のセルが任意のセルである場合、第２基地局２のコンポーネントキャリア内でｐＳｃｅｌｌを切り替えるか、セカンダリセルグループを他の基地局４に切り替えるかを制御してもよい。また、第１基地局１は、比較元のセルが、ｓＳｃｅｌｌであり、比較対象のセルが任意のセルである場合、第２基地局２のコンポーネントキャリア内でｓＳｃｅｌｌを切り替えるか、セカンダリセルグループを他の基地局４に切り替えるかを制御してもよい。第１基地局１は、比較元のセルが、第２基地局２の任意のセルであり、比較対象のセルが任意のセルである場合、比較元のセルを比較対象のセルに切り替えるか、セカンダリセルグループを他の基地局４に切り替えるかを制御してもよい。
【００５８】
また、上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００５９】
１・・・第１基地局、１１・・・基地局送信部、１２・・・基地局受信部、１３・・・記憶部、２・・・第２基地局、３・・・携帯端末、３１・・・無線部、３２・・・端末受信部、３３・・・測定部、３４・・・端末送信部、３５・・・切替部、４・・・他の基地局、Ｓ・・・携帯通信システム
【図１】
2015216416.tif 000003
【図２】
2015216416.tif 000004
【図３】
2015216416.tif 000005
【図４】
2015216416.tif 000006
【図５】
2015216416.tif 000007
【図６】
2015216416.tif 000008
【図７】
2015216416.tif 000009
【図８】
2015216416.tif 000010